【事件の表示】
　上記当事者間の登録第２３６１３２１号商標の登録取消審判事件について、次のとおり審決する。
【結　論】
　登録第２３６１３２１号商標の指定商品中「医療機械器具、その部品及び附属品」については、その登録は取り消す。
　審判費用は、被請求人の負担とする。
【理　由】
１　本件商標
　本件登録第２３６１３２１号商標（以下「本件商標」という。）は、「ＣＯＭＰＡＴＨ」の欧文字を書してなり、第１０類「理化学機械器具（電子応用機械器具に属するものを除く）光学機械器具（電子応用機械器具に属するものを除く）写真機械器具、映画機械器具、測定機械器具（電子応用機械器具に属するものおよび電気磁気測定器を除く）医療機械器具、これらの部品および附属品（他の類に属するものを除く）写真材料」を指定商品として、平成１年９月２５日に登録出願、同３年１２月２５日に設定登録、その後、同１３年８月７日に商標権存続期間の更新登録がなされているものである。
　
２　請求人の主張の要旨並びに答弁に対する弁駁の要旨
　請求人は、結論同旨の審決を求め、その理由並びに答弁に対する弁駁以下のように述べ、証拠方法として、甲第１号証ないし甲第４号証（枝番号を含む。）を提出した。
（請求の理由の要旨）
　本件商標は、その指定商品中「医療機械器具、その部品及び附属品」につき継続して３年以上日本国内において使用されていないのみならず、本件商標を使用していないことについて何等正当な理由が存することも認められない。本件商標について専用実施権の設定又は通常使用権許諾の登録もないから、商標法第５０条第１項の規定に基づき、本件商標の指定商品中、上記商品につき登録取消審判を請求する。
（答弁に対する弁駁の要旨）
（１）本件商標は、欧文字「ＣＯＭＰＡＴＨ」からなるものであるのに対し、被請求人が使用しているとする商標は「コンパス」であり、「ＣＯＭＰＡＴＨ」と「コンパス」が、社会通念上同一であるとする被請求人の主張は失当である。一般に「コンパス」といえば製図用具としての商品が連想されるものであり（甲第３号証）、「ＣＯＭＰＡＴＨ」が仮に「コンパス」と発音されるとしても、具体的な対象物がなく、「ＣＯＭＰＡＳＳ」と「ＣＯＭＰＡＴＨ」は全く別異の商標であることは明らかである。
　したがって、「ＣＯＭＰＡＳＳ」⇔「コンパス」間の使用であれば社会通念上からいって登録商標の使用と考えられるが、登録商標「ＣＯＭＰＡＴＨ」に対し「コンパス」の使用は登録商標の使用とはいえない。なお、被請求人と関連のあるドイツ国プロクソドム社が出願（商願平１０−７１９００）した商標は「ＣＯＭＰＡＳＳ」であり、これに対応する「コンパス」の使用と考えられる（甲第４号証）。
（２）被請求人の子会社（株）メドフィックスサカイはドイツのアス・メタルバウ社が開発したトレーニングマシンを輸入・販売されているようであるが（乙第３〜４号証）、これはリハビリ専用ではなくフィットネス機器であり、取引先（株）コクド、キッコーマン事業開発（株）から判断して医療機器に使用されているものとは思われない。
　
３　被請求人の答弁の要旨
　被請求人は、「本件審判の請求は成り立たない、審判請求の費用は請求人の負担とする、との審決を求める。」と答弁し、その理由の要旨以下のように述べ、証拠方法として、乙第１号証ないし乙第９号証（枝番号を含む。）を提出した。
（１）本件商標は、三菱化学株式会社の所有のところ、審判被請求人である酒井医療株式会社がその権利の譲渡を受け、平成１１年１０月２８日に権利移転登録が行われている。
（２）被請求人の子会社である株式会社メドフィックスサカイが、ドイツ国プロクソメッド（アス）社製のトレーニングマシーン「コンパス」を販売するに当たり、当該「コンパス」とは称呼が同一で類似商標になる本件商標「ＣＯＭＰＡＴＨ」の当時の権利者であった三菱化学（商標登録原簿上の名義は三菱化成（株）のままで変更がなされていなかった）に対し、平成１０年５月１４日に商標の使用許諾の申入れを行い、それに対し、市場での競合がないので、使用してもよいし、場合によっては権利の譲渡に応じてもよい旨の回答を得た（乙第３号証）。
（３）前記使用に関する三菱化成の了解を得て、被請求人の子会社であるメドフィックスサカイは、１９９８年６月から同製品の販売開始に先立ち、社内報「ＦＵＴＵＲＥ」（１９９８年５月発行）（乙第４号証）の中でトレーニングマシーン「コンパス」を発表した。当該社内報は、従業員はもとより、顧客その他関係者に配布されている。
（４）その後、実際の販売活動が開始された。その例を以下に示す。
　イ．１９９８年９月１１日付注文書（注文者：ファミリーケア〔有〕）（乙第５号証の１）により、「レッグエクステンション（型式：ＭＣＡ−１０７１）」１台が発注されている。この型式ＭＣＡ−１０７１は、当時の価格表（１９９８年６月）（乙第６号証）から明らかなように、「コンパス　ストレングスシステム」と称する商品系列の中の商品である。さらに、本件の「受注確認伝票（平成１０年９月１４日）」を乙第５号証の２として提出する。
　ロ．平成１０年（１９９８年９月２５日付御見積書（提出先：株式会社コクド）（乙第７号証の１）によれば、「ベンチプレスステーション（型式：ＭＣＡ−２００５）」２台、「アジャスタブルベンチ（型式：ＭＣＡ−２００１）」１台、「４５°バックエクステンション（型式：ＭＣＡ−２０３０）」１台、「バックエクステンションスペシャル（型式：ＭＣＡ−２１１０）」１台が対象になっていて、前記価格表（乙第５号証）に照らしてみれば、各型式のものが、「コンパス　ストレングスシステム」の商品系列に該当することは明らかである。さらに、本件の平成１０年１２月２２日付納品書控を乙第７号証の２として提出する。
　ハ．平成１１年２月１６日付御見積書（提出先：キッコーマン事業開発株式会社）（乙第８号証の１）によれば、「コンパス　チェストプレス」１台、「コンパス　オーバーヘッドプレス」１台、「コンパス　バックトーソリフター」１台、「コンパス　フロントトーソリフター」２台、「コンパス　４５°バックエクステンション」１台、「コンパス　アジャスタブルベンチ」１台が対象になっている。これは、品名のところに、「コンパス」の商標が使用されている。つぎに、本件に関するリース会社センチュリー・リーシング・システム株式会社からの１９９９年３月１７日付注文書を乙第８号証の２として提出する。
（５）以上のことから、被請求人たる酒井医療株式会社或いはその子会社であったメドフィックスサカイ（１９９８年１１月に親会社である酒井医療株式会社に吸収合併された。乙第２号証の経歴書参照）が、当時の権利者の了解のもとに本件商標と社会通念上同一と考えられる「コンパス」を商標として医療機械器具に該当する「トレーニングマシン」に本件審判請求の登録前３年以内に日本国内において使用していたことは明らかになったことと信じる。さらに、最近の被請求人の商品総合カタログとして１９９９年１月作成の「ＳＡＫＡＩ　１９９９ＣＡＴＡＬＯＧＵＥ」の表紙、第２５１頁及び裏表紙を乙第９号証として提出する。
　
４　当審の判断
　被請求人が本件商標の使用の事実を証明する証拠として提出した乙第２号証ないし乙第９号証をみるに、その乙各号証に表示されている商標は、いずれも「コンパス」の片仮名文字からなるものである。
　ところで、本件商標は、前記したように、「ＣＯＭＰＡＴＨ」の欧文字からなるものである。そして、被請求人は、本件商標と、被請求人の提出に係る上記乙各号証に表示されている商標とは、社会通念上同一であると主張している。
　そこで、本件商標と、該「コンパス」の商標を比較するに、両者は「コンパス」の称呼を共通にするものである。
　しかしながら、「コンパス」の称呼からは、製図道具の「ＣＯＭＰＡＳＳ」の語を想起するというのが相当であり、造語といえる「ＣＯＭＰＡＴＨ」の文字を想起するとはいい難いものである。
　してみれば、本件商標と、被請求人の提出に係る乙各号証に表示されている商標とは、観念上同一のものということはできないし、外観においても異なるものであるから、両者を、社会通念上同一のものとすることができない。
　したがって、上記乙各号証に表示されている商標の使用をもってしては、本件商標又は本件商標と社会通念上同一の商標の使用ということはできないものである。
　そうとすれば、本件商標を本件審判請求の登録前３年以内に日本国内において請求に係る指定商品について使用したものと認めることはできない。
　したがって、本件商標の登録は、商標法第５０条の規定により指定商品中の「医療機械器具、その部品及び附属品」についての登録を取り消すべきものである。
　よって、結論のとおり審決する。